【事件の表示】
　特願２００１−１６０９１７「シリアルプリンタ用の記録ヘッド装置」拒絶査定不服審判事件〔平成１４年１２月　４日出願公開、特開２００２−３４７３００〕について、次のとおり審決する。
【結　論】
　本件審判の請求は、成り立たない。
【理　由】
第１　手続の経緯
　本願は、平成１３年５月２９日の出願であって、平成１７年１２月８日に手続補正がなされ、平成１８年９月８日付けで拒絶査定がなされ、これに対して、同年１０月１３日に拒絶査定不服審判が請求されるとともに、同年１１月１３日に手続補正がなされ、当審において、平成１８年１１月１３日付け手続補正が平成２１年６月３日付けで却下され、同日付けで拒絶の理由が通知され、同年８月６日に手続補正がなされたものである。
　
第２　本願発明
　本願の請求項１に係る発明（以下「本願発明」という。）は、平成２１年８月６日付け手続補正により補正された明細書及び図面の記載からみて、その特許請求の範囲の請求項１に記載された事項により特定されるとおりの次のものであると認められる。
　
「記録ヘッドを装着する装着部とインクカートリッジを搭載する搭載部とを備えて主走査方向に走行する記録ヘッド構成体と、
　前記記録ヘッド構成体に着脱可能に係合する結合枠と、を備えたシリアルプリンタ用の記録ヘッド装置であって、
　前記記録ヘッド構成体は、プリンタ本体の主走査方向に延びる第１の案内部材、及び前記第１の案内部材から前記プリンタ本体の主走査方向と直行する方向に離間して設けられる第２の案内部材上を摺動し、
　前記第１の案内部材上を摺動する第１の被案内部と、
　記録ヘッド構成体における前記第１の案内部材よりも前記第２の案内部材に近い側の端部に設けられ、前記結合枠と嵌合する嵌合片と、
　前記嵌合片の下面に設けられ、前記第２の案内部材と摺接して前記記録ヘッド構成体を水平に保持する第２の被案内部とを備え、
　前記結合枠は、前記第１の被案内部の下面を摺動することにより前記第１の案内部材を下から抱持して摺動する腕片を備え、
　前記記録ヘッド構成体は、前記第１の案内部材に第１の被案内部を跨がらせるようにして載置され、
　前記結合枠は、前記嵌合片に沿わせるようにして、前記記録ヘッド構成体における前記第２の被案内部側から前記第１の被案内部側に向けて水平に前記記録ヘッド構成体に押込んで装着されることを特徴とするシリアルプリンタ用の記録ヘッド装置。」
　
第３　刊行物の記載事項
１　当審において平成２１年６月３日付けで通知された拒絶の理由に引用された本願の出願前に頒布された刊行物である特開平８−５８１７３号公報（以下「引用例１」という。）には、図とともに次の事項が記載されている。
　
（１）「【特許請求の範囲】
【請求項１】    
ガイドレールに沿って移動するキャリッジに記録手段を搭載し
該キャリッジで主走査しながら前記記録手段により被記録材に記録を行う記録装
記録手段は前記ガイドレールに接触摺動しながら前記キャリッジにより主走査される
【請求項２】    
キャリッジに取り付けられた部材と記録手段とを前記ガイドレールに当接させて主走査する
…略…
【請求項４】    前記記録手段が、
インクを吐出して記録を行うインクジェット記録手段
　
（２）「【０００６】前記シリアルタイプの記録装置では、被記録材を搬送ローラによって搬送（副走査）し、記録ヘッドを搭載したキャリッジの移動（主走査）によって１ライン分の記録を行い、以下、副走査と主走査を交互に繰り返して１頁全体の記録が行われる。その場合のキャリッジの移動機構は、キャリッジに直結されたベルトをモータおよびプーリで駆動して該キャリッジを移動させるベルト駆動方式と、螺旋状の溝（リード溝）を有するリードスクリューを回転させ、該溝と係合するピンを有するキャリッジを該リードスクリューの回転に伴って移動させるリードスクリュー駆動方式に大別することができる。
【０００７】
【発明が解決しようとする課題】しかしながら、従来のシリアルタイプの記録装置にあっては、キャリッジの移動を案内支持して記録方向を決めているガイドレールから記録ヘッドのインク吐出口に至るまでに多数の部品が介在するため、インク吐出口の傾きにバラツキが生じやすいなど、記録精度に影響を及ぼす部分に累積誤差が生じて問題となることがあった。
【０００８】つまり、ガイドレールとキャリッジの軸受孔との間のガタにより、該キャリッジの記録ヘッド取付面は該ガイドレールの軸心に対して傾き（傾斜角α）を生じる。次に、キャリッジの記録ヘッド取付面と記録ヘッド自体の基準面との間にゴミ等が存在することにより、本来密着して互いに平行になるべき両者の間に傾き（傾斜角β）が生じることがある。次に、記録ヘッド自体の基準面に対して垂直となるべきインク吐出口の配列方向は該記録ヘッドの部品誤差により垂直線に対して傾きγを生じることがある。そのため、インク吐出口の配列方向は、これらの傾きα、β、γの累積誤差により、本来のガイドレールの軸心の垂直線からθ＝α＋β＋γだけ傾くことになる。
【０００９】このようなインク吐出口の配列方向の傾きθが存在すると、被記録材に表や垂直線を記録する場合に縦罫線が繋がらなくなるなどの欠点が生じ、画像品位が低下してしまうことになる。このことは、記録のスループットを向上させようとして、インク吐出口の数を増やそうとすればするほど、大きな問題としてクローズアップされるものである。
【００１０】本発明はこのような技術課題に鑑みてなされたものであり、本発明の目的は、ガイドレールに対するドット形成手段の位置精度を向上させ、高精度で良好な記録を行い得る記録装置を提供することである。
【００１１】
【課題解決のための手段】請求項１の発明は、ガイドレールに沿って移動するキャリッジに記録手段を搭載し、該キャリッジで主走査しながら前記記録手段により被記録材に記録を行う記録装置において、前記記録手段は前記ガイドレールに接触摺動しながら前記キャリッジにより主走査される構成とすることにより、上記目的を達成するものである。
【００１２】請求項２および請求項３の発明は、請求項１の構成に加えて、キャリッジに取り付けられた部材と記録手段とを前記ガイドレールに当接させて主走査する構成、あるいは、キャリッジ駆動モータの駆動力をキャリッジに伝達するためのベルトを有し、キャリッジに対して主走査方向と直角の方向に前記ベルトの張力の力成分を作用させることにより、前記記録手段を前記ガイドレールに押圧接触させる構成とすることにより、一層効率よく上記目的を達成するものである。
【００１３】
【実施例】以下、図面を参照して本発明の実施例を説明する。なお、各図面を通して同一符号はそれぞれ同一または対応部分を示すものである。図１は本発明を適用するのに好適な記録装置の概略構成を示す模式的斜視図であり、図２は図１の記録装置において記録ヘッドを外した状態を示す模式的斜視図である。
【００１４】図１および図２において、１はキャリッジにより主走査されながら吐出口からインクを吐出して被記録材に記録を行うインクジェット記録ヘッド、２は記録ヘッド１を搭載して主走査方向に往復移動するキャリッジ、３はキャリッジ２を主走査方向に駆動するためのキャリッジモータ、４はキャリッジモータ３の駆動力をキャリッジ２に伝達するベルト、
５は主走査するキャリッジ２を案内支持するために互いに平行に設置された一対のガイドレール
【００１５】図３は前記インクジェット記録ヘッド１を模式的に示す外観斜視図である。図３において、１１はインク滴を吐出する複数の微細な開口を配列して成る吐出口群（インク吐出口）であり、１２はインク吐出口１１を駆動するための記録信号を受け取る電極である。この
記録ヘッド１は、インク貯留部（インクタンク）が一体に形成された交換可能なインクジェットカートリッジで構成され
　
（３）「【００２０】図６は本発明を適用した記録装置の記録ヘッド１とキャリッジ２の取り付け関係の一実施例の主走査断面方向から見た模式的側面図であり、図７は図６と同じ方向から見て記録ヘッド１とキャリッジ２の分離状態を模式的に示す分解側面図であり、図８は図７の記録ヘッド１とキャリッジ２の取り付け関係をインク吐出口側から見て示す模式的正面図である。
【００２１】図６〜図８において、
キャリッジ２の移動方向両端部には記録ヘッド１を取り付けるための取付用爪２ｃ、２ｃが設けられ
記録ヘッド１はこれらの取付用爪２ｃ、２ｃによりキャリッジ２上に取り付けられ
記録ヘッド１の底部の主走査方向両端部の前記ガイドレール５、５に対応する部分には、案内摺動面１ｄ、１ｅが設けられている
キャリッジ２の下部の前記ガイドレール５、５に対応する位置には、弾性部材２５、２５を介して摺動部材２４、２４が取り付けられ
【００２２】そして、
キャリッジ２および記録ヘッド１は、前記取付用爪２ｃ、２ｃにより該記録ヘッド１を該キャリッジ２上に装着保持するとともに、該記録ヘッド１の前記案内摺動面１ｄ、１ｅと該キャリッジ２に取り付けられた前記摺動部材２４、２４との間で各ガイドレール５、５を上下から挟み込んで（弾性力で圧接した状態で）組み付けられている
【００２３】図６〜図８の実施例によれば、
記録ヘッド１の主走査に際し、該記録ヘッド１に設けられた案内摺動面１ｄ、１ｅがガイドレール５、５に直接的に当接した状態に維持される
　
（４）図１、図２及び図６ないし図８から次のアないしオが見て取れる。
　ア　記録ヘッド１のインク吐出口１１側の底部の両端部には第１ガイドレール５に対応する部分にＶ字状の第１案内摺動面１ｄ、１ｄが第１ガイドレール５を跨ぐように設けられ、記録ヘッド１のインク吐出口１１の反対側の底部の両端部には第２ガイドレール５に対応する部分に平面状の第２案内摺動面１ｅ、１ｅが設けられていること。
　イ　キャリッジ２の第１案内摺動面１ｄ、１ｄの下部の第１ガイドレール５に対応する位置には、第１弾性部材２５を介して第１摺動部材２４が取り付けられ、キャリッジ２の第２案内摺動面１ｅ、１ｅの下部の第２ガイドレール５に対応する位置には、第２弾性部材２５を介して第２摺動部材２４が取り付けられていること。
　ウ　キャリッジ２は枠体であること。
　エ　第１ガイドレール５及び第２ガイドレール５は互いに平行にかつ水平に配置されていること。
　オ　第１案内摺動面１ｄ、１ｄと第１摺動部材２４との間で第１ガイドレール５を上下から挟み込み、第２案内摺動面１ｅ、１ｅと第２摺動部材２４との間で第２ガイドレール５を上下から挟み込んでキャリッジ２及び第１及び第２ガイドレール５、５に組み付けられた記録ヘッド１は、互いに平行にかつ水平に配置されている第１及び第２ガイドレール５とキャリッジ２とにより水平に保持されていること。
　カ　第１ガイドレール５を跨ぐように設けられたＶ字状の第１案内摺動面１ｄ、１ｄが上側から、第１摺動部材２４の上面が下側から、第１ガイドレール５を抱くように上下から挟み込んでいること。
　
（５）上記（１）ないし（４）からみて、引用例１には、
「主走査するキャリッジを案内支持するために互いに平行にかつ水平に設置された一対の第１及び第２ガイドレールに沿って移動する枠体であるキャリッジに、インクを吐出して記録を行うインクジェット記録ヘッドを搭載し、前記記録ヘッドと前記キャリッジに取り付けられた部材とを前記ガイドレールに当接させて摺動しながら前記キャリッジで主走査しながら前記記録ヘッドにより被記録材に記録を行うインクジェット記録装置において、
　前記記録ヘッドは、インクタンクが一体に形成された交換可能なインクジェットカートリッジで構成されており、
　前記キャリッジには記録ヘッドを取り付けるための取付用爪が設けられ、
　前記記録ヘッドはこれらの取付用爪により前記キャリッジ上に取り付けられるようになっており、
　前記記録ヘッドのインク吐出口側の底部の両端部には第１ガイドレールに対応する部分にＶ字状の第１案内摺動面が第１ガイドレールを跨ぐように設けられ、記録ヘッドのインク吐出口の反対側の底部の両端部には第２ガイドレールに対応する部分に平面状の第２案内摺動面が設けられており、
　前記キャリッジに取り付けられた部材は、前記第１案内摺動面の下部の第１ガイドレールに対応する位置に第１弾性部材を介して前記キャリッジに取り付けられた第１摺動部材、および、前記第２案内摺動面の下部の第２ガイドレールに対応する位置に第２弾性部材を介して前記キャリッジに取り付けられた第２摺動部材からなっており、
　前記キャリッジおよび前記記録ヘッドは、前記取付用爪により該記録ヘッドを該キャリッジ上に装着保持するとともに、該記録ヘッドの第１案内摺動面と該キャリッジに取り付けられた第１摺動部材との間で第１ガイドレールを上下から抱くように挟み込み、該記録ヘッドの第２案内摺動面と該キャリッジに取り付けられた第２摺動部材との間で第２ガイドレールを上下から挟み込んで組み付けられ、組み付けられた該記録ヘッドは、互いに平行にかつ水平に配置されている第１及び第２ガイドレールと前記キャリッジとにより水平に保持されており、
　記録ヘッドの主走査に際し、該記録ヘッドに設けられた第１案内摺動面が第１ガイドレールに直接的に当接し、該記録ヘッドに設けられた第２案内摺動面が第２ガイドレールに直接的に当接した状態に維持されるインクジェット記録装置。」の発明（以下「引用発明」という。）が記載されていると認められる。
　
２　当審において平成２１年６月３日付けで通知された拒絶の理由に引用された本願の出願前に頒布された刊行物である特開平５−１４７３００号公報（以下「引用例２」という。）には、図とともに次の事項が記載されている。
　
（１）「【０００１】
【産業上の利用分野】本発明は印字装置等に使用されるキャリアユニットに関し、特に差込み式キャリアユニットに関する。
【０００２】
【従来の技術】従来、この種のキャリアユニットは、図２に示すようにキャリアフレーム２１の一側にガイドプレート２４の突部２４ａを受け入れる凹部２１ａが設けられ、他側に貫通孔２１ｂが設けられている。
【０００３】従来のものは、スリーブ２２がキャリアフレーム２１の貫通孔２１ｂ内に圧入され、ガイドシャフト２３がスリーブ２２に嵌合し、これらの組立体を装置に組み込んでいた。
【０００４】
【発明が解決しようとする課題】この従来のキャリアユニットでは、装置に組み込む前にガイドシャフトに通しておかなくてはならないため、手間がかかっていた。
【０００５】又、装置に組み込む時にキャリアユニットが邪魔になるため、片手で押えておかなければ組み込みづらい場合があるという問題点があった。
【０００６】その他にも、キャリアフレーム破損もしくは故障時の交換においても、ガイドシャフトを１度外さなければならないため、大掛りな分解となり、さらに再組み込み時の調整もやり直さなければならないという問題点があった。
【０００７】本発明の目的は、後付け構造とした差込み式キャリアユニットを提供することにある。
【０００８】
【課題を解決するための手段】前記目的を達成するため、本発明に係る差込み式キャリアユニットにおいては、差込部が印字装置等に設けられるガイドシャフトに嵌合され、該ガイドシャフトに摺動可能に支持されるキャリアユニットであって、キャリアユニットの差込部は、ガイドシャフトを径方向から受け入れる開放された受口を有するものである。
【０００９】
【作用】印字装置等に既に取付けてあるガイドシャフトにキャリアユニットの差込部を、開放された受口を介して嵌合することにより、後付け構造としたものである。
【００１０】
【実施例】以下、本発明の実施例を図により説明する。
【００１１】（実施例１）図１は、本発明の実施例１を示す斜視図、図３（ａ）は、実施例１の具体例を示す正面図、（ｂ）は同斜視図である。
【００１２】図において、本実施例においては、ガイドプレート１５とガイドシャフト１４とは印字装置等の機枠に予め固定し、キャリアユニットを後付け構造としたものである。
【００１３】すなわち、キャリアフレーム１１は、一側にガイドプレート１５の突部１５ａに嵌合させる凹部１１ａを有し、他側にガイドシャフト１４に摺動可能に支持される差込部１２を有している。
【００１４】差込部１２は、下部側にガイドシャフト１４を径方向から受け入れるのに適した寸法で開口した受口１２ａを有し、受口１２ａを除いた内周側にスリーブ１３が圧入されている。
【００１５】図３（ａ），（ｂ）に示す実施例では、ガイドシャフト１４の周面一部に、差込部１２の受口１２ａの開口寸法に合わせて削り出した平面部１４ａ，１４ａを有している。
【００１６】キャリアユニットを後付けするにあたっては、ガイドシャフト１４の平面部１４ａ，１４ａに差込部１２の受口１２ａを一致させて、ガイドシャフト１４に差込部１２を差込んで両者を嵌合し、差込部１２をガイドシャフト１４に摺動可能に支持する。
【００１７】一方、ガイドシャフト１４は差込部１２に嵌合させた後に、一定角度角回転させて平面部１４ａを受口１２ａの位置より偏らせ、差込部１２からの抜けを防止する。
【００１８】（実施例２）
図４は、本発明の実施例２を示す図である。【００１９】本実施例では、キャリアユニットの差込部１２に設けた受口１２ａの寸法をガイドシャフト１４の直径と同一寸法か又は若干大きめに設定したものである。ガイドシャフト１４にキャリアフレーム１１の差込部１２を差し込んだ後に、スライドピース１６を差し込むことにより、キャリアフレーム１１の脱落を防止する。又、スライドピース１６を外すことにより、キャリアフレーム１１の取り外しも容易にできる
【００２０】
【発明の効果】以上説明したように本発明は、
ガイドシャフトを印字装置等の本体に取り付けた後でキャリアユニットを組み込むことが可能
　
（２）上記（１）記載を参照すれば、図４から、キャリアフレーム１１の後側に設けた凹部１１ａを印字機構に固定された第２ガイドシャフト１５に嵌合させ、キャリアフレーム１１の前側に設けた差し込み部１２を第１ガイドシャフト１４に差し込んだ後に、スライドピース１６を、差し込み部１２内の第１ガイドシャフト１４の下面をキャリアフレーム１１の後側から前側方向に水平に摺動するように差し込むことにより、第１ガイドシャフト１４を下から抱持する事項が見て取れる。
　
第４　対比
　本願発明と引用発明とを対比する。
１　引用発明の「第１ガイドレール」、「第２ガイドレール」、「インクジェット記録ヘッド」、「インクタンクが一体に形成された交換可能なインクジェットカートリッジ」、「『インクタンクが一体に形成された交換可能なインクジェットカートリッジ』で構成された『記録ヘッド』」、「キャリッジで主走査しながら前記記録ヘッドにより被記録材に記録を行うインクジェット記録装置」、「第１案内摺動面」、「第２案内摺動面」、「取付用爪」及び「『第１弾性部材』及び該第１弾性部材を介してキャリッジに取り付けられた『第１摺動部材』」は、それぞれ、本願発明の「第１の案内部材」、「第２の案内部材」、「記録ヘッド」、「インクカートリッジ」、「主走査方向に走行する記録ヘッド構成体」、「シリアルプリンタ用の記録ヘッド装置」、「第１の被案内部」、「第２の被案内部」、「嵌合片」及び「腕片」に相当する。
　
２　引用発明において、枠体であるキャリッジには、「記録ヘッド構成体（インクタンクが一体に形成された交換可能なインクジェットカートリッジで構成されている記録ヘッド）」を取り付けるための取付用爪が設けられ、記録ヘッド構成体は、これらの取付用爪により前記キャリッジ上に取り付けられるようになっており、かつ、記録ヘッド構成体及びキャリッジはどちらも取り付けられるまでは固定されていないものであることが明らかであって、キャリッジが記録ヘッド構成体に取り付けられるともいえるから、引用発明の「キャリッジ」は本願発明の「記録ヘッド構成体に着脱可能に係合する結合枠」に相当する。
　
３　引用発明の「第１及び第２ガイドレール」は、主走査するキャリッジを案内支持するために互いに平行に設置された一対のものであるから、「プリンタ本体の主走査方向に延びる」ものであることは明らかであり、「第２ガイドレール」は「第１ガイドレールからシリアルプリンタ本体の主走査方向と直行する方向に離間して設けられ」ているといえる。よって、引用発明の「第１の案内部材（第１ガイドレール）」と本願発明の「第１の案内部材」とは「プリンタ本体の主走査方向に延びる」点で一致し、引用発明の「第２の案内部材（第２ガイドレール）」と本願発明の「第２の案内部材」とは「第１の案内部材からプリンタ本体の主走査方向と直行する方向に離間して設けられる」点で一致する。
　
４　引用発明の「記録ヘッド構成体（記録ヘッド）」は、第１案内摺動面と第１摺動部材との間で「第１の案内部材（第１ガイドレール）」を上下から挟み込み、第２案内摺動面と第２摺動部材との間で「第２の案内部材（第２ガイドレール）」を上下から挟み込み、主走査に際し、該記録ヘッド構成体に設けられた第１案内摺動面が第１の案内部材に直接的に当接し、該記録ヘッド構成体に設けられた第２案内摺動面が第２の案内部材に直接的に当接した状態に維持されるから、引用発明の「記録ヘッド構成体」と本願発明の「記録ヘッド構成体」とは、「第１の案内部材及び第２の案内部材上を摺動」する点で一致するといえ、引用発明の「第１の被案内部（第１案内摺動面）」と本願発明の「第１の被案内部」とは、「第１の案内部材上を摺動する」点で一致し、引用発明の「第２の被案内部（第２案内摺動面）」と本願発明の「第２の被案内部」とは、「第２の案内部材と摺接」する点で一致するといえる。
　
５　引用発明において、記録ヘッドの第１案内摺動面とキャリッジに取り付けられた第１摺動部材との間で第１ガイドレールを上下から挟み込み、記録ヘッドの第２案内摺動面とキャリッジに取り付けられた第２摺動部材との間で第２ガイドレールを上下から挟み込んで組み付けられた「記録ヘッド構成体（記録ヘッド）」は、互いに平行にかつ水平に配置されている第１及び第２ガイドレールと前記キャリッジとにより水平に保持されているから、引用発明の「第２の被案内部（第２案内摺動面）」と本願発明の「第２の被案内部」とは「記録ヘッド構成体を水平に保持する」点でも一致する。
　
６　引用発明において、第１ガイドレールは、「記録ヘッド構成体（記録ヘッド）」のインク吐出口側の底部の両端部に「第１の案内部材（第１ガイドレール）」を跨ぐように設けられたＶ字状の「第１の被案内部（第１案内摺動面）」と、第１弾性部材を介して「結合枠（キャリッジ）」に取り付けられた第１摺動部材との間で、上下から抱くように挟み込まれているから、引用発明の「腕片（第１弾性部材及び該第１弾性部材を介してキャリッジに取り付けられた第１摺動部材）」と本願発明の「腕片」とは、「第１の案内部材を下から抱持して摺動する」点及び「結合枠」に「備え」られている点で一致し、引用発明の「記録ヘッド構成体」と本願発明の「記録ヘッド構成体」とは「第１の案内部材に第１の被案内部を跨がらせるようにして載置され」る点で一致する。
　
７　引用発明のインクジェット記録装置は「嵌合片（取付用爪）」を備えているから、引用発明の「シリアルプリンタ用の記録ヘッド装置（インクジェット記録装置）」と本願発明の「シリアルプリンタ用の記録ヘッド装置」とは、「嵌合片」を備えている点で一致する。
　
８　以上１ないし７から、本願発明と引用発明とは、
「主走査方向に走行する記録ヘッド構成体と、
　前記記録ヘッド構成体に着脱可能に係合する結合枠と、嵌合片とを備えたシリアルプリンタ用の記録ヘッド装置であって、
　前記記録ヘッド構成体は、プリンタ本体の主走査方向に延びる第１の案内部材、及び前記第１の案内部材から前記プリンタ本体の主走査方向と直行する方向に離間して設けられる第２の案内部材上を摺動し、
　前記第１の案内部材上を摺動する第１の被案内部と、
前記第２の案内部材と摺接して前記記録ヘッド構成体を水平に保持する第２の被案内部とを備え、
　前記結合枠は、前記第１の案内部材を下から抱持して摺動する腕片を備え、
　前記記録ヘッド構成体は、前記第１の案内部材に第１の被案内部を跨がらせるようにして載置された、
　シリアルプリンタ用の記録ヘッド装置。」の点で一致し、次の点で相違する。 
　
相違点１：
　前記「記録ヘッド構成体」が、本願発明においては「記録ヘッドを装着する装着部とインクカートリッジを搭載する搭載部とを備えて」いるのに対して、引用発明においては「インクタンクが一体に形成された交換可能なインクジェットカートリッジで構成され」たものである点。
　
相違点２：
　本願発明では、前記「嵌合片」が、「記録ヘッド構成体における第１の案内部材よりも第２の案内部材に近い側の端部に設けられ、結合枠と嵌合する」ものであり、前記「嵌合片」の下面に第２の被案内部が設けられているのに対して、引用発明では、前記「嵌合片」は、「結合枠」に設けられ、「記録ヘッド構成体」を取り付けるためのものであり、前記「嵌合片」には「第２の被案内部」が設けられていない点。
　
相違点３：
　本願発明においては、前記結合枠は、前記嵌合片に沿わせるようにして、前記記録ヘッド構成体における前記第２の被案内部側から前記第１の被案内部側に向けて水平に前記記録ヘッド構成体に押込んで装着され、前記腕片は、第１の被案内部の下面を摺動することにより、第１の案内部材を下から抱持するのに対して、引用発明においては、前記結合枠および前記記録ヘッド構成体は、前記嵌合片により該記録ヘッド構成体を該結合枠上に装着保持するとともに、該結合枠の第１の被案内部と該結合枠に取り付けられた腕片との間で第１の案内部材を上下から抱くように挟み込んで組み付けることにより、第１の案内部材を下から抱持する点。
　
第５　判断
　上記相違点１ないし３について検討する。
１　相違点１について
　インクタンクをインクカートリッジとし記録ヘッドとは別体とすることは例を示すまでもなく本願出願前に周知であり、記録ヘッド構造体にチップタイプの記録ヘッドを装着するものも本願出願前に周知（例．引用例１の「装置本体に装着されることで装置本体との電気的な接続や装置本体からのインクの供給が可能になる交換自在のチップタイプの記録ヘッド」（【００３６】）の記載参照。）であるから、引用発明の記録ヘッド構成体を、その本体に記録ヘッドを装着する装着部とインクカートリッジを搭載する搭載部とを備えたものとなすことは、上記各周知技術に基づいて当業者が容易になし得た程度のことである。
　
２　相違点２及び３について
（１）本願明細書には、以下のアないしエの上記相違点２及び３に係る本願発明の発明特定事項に関して、次のオの記載がある。
　ア　嵌合片が、記録ヘッド構成体における第１の案内部材よりも第２の案内部材に近い側の端部に設けられ、結合枠と嵌合するものである点。
　イ　第２の被案内部が、嵌合片の下面に設けられている点。
　ウ　結合枠は、嵌合片に沿わせるようにして、記録ヘッド構成体における第２の被案内部側から第１の被案内部側に向けて水平に記録ヘッド構成体に押込んで装着される点。
　エ　腕片が、第１の被案内部の下面を摺動することにより、第１の案内部材を下から抱持する点。
　オ　「【０００９】この
記録ヘッド構成体１には、
その後端部に
結合枠１０と嵌合する嵌合片７が
延出されていて、その先端部下面には、
サブガイド２４の面と摺接して記録ヘッド構成体１を水平に保持する摺接突起８
第２の被案内部が突設されている
【００１０】これに対して、図中
符号１０は記録ヘッド構成体１の後方に結合する結合枠
【００１１】なお図中符号５ｂ、５ｃ…は、記録ヘッド２に通じるインク通孔を示しており、また１３は、記録ヘッド構成体１の両側に設けた係合突起９と係合する係合孔を示している。
【００１２】このように構成された実施例において、いまこのプリンタ本体に記録ヘッドを組付けるには、はじめに、立上げ形成したメインの
ガイド２１に被ガイド片６を跨がらせ
載置し
底面を嵌合片７に沿わせるせるように
結合枠１０を記録ヘッドに構成体１の後方から水平に押込んでゆく
【００１３】これにより、
押込みの後端において腕片１１の先端は、メインガイド２１下半のコ字状凹部２２の中に入り込み、被ガイド片６、６との間でメインガイド２１を上下から抱持して、記録ヘッド構成体１とメインガイド２１とを結合一体とするから、記録ヘッド装置は、前端をメインガイド２１に、後端をサブガイド２４に案内されて主走査方向への走行が可能とな
【００１４】したがって、最後に記録ヘッド装置の構成体１と結合したタイミングベルトを図示しない駆動モータにより牽引すれば、記録ヘッド構成体１はこれらガイド２１、２４に案内されつつ主査方向へと正確な走行を始めることになる。
【００１５】なお、何らかの理由によって記録ヘッド装置をプリンタ本体から外す必要が生じた場合には、結合孔１３と結合突起９を外した上で
結合枠１０を後方にスライドさせることにより記録ヘッド構成体１をメインのガイド２１から外すことができる
…略…
【００１７】
【発明の効果】以上述べたように本発明によれば、ガイドロッド等をプリンタ本体から取外す手間を要することなく、しかもキャリッジ等を必要とすることなく、記録ヘッド自体をガイドロッドを構成する第１、第２の案内部材上に組付けることを可能として、この種の記録ヘッドの組付けを大巾に簡素化することができると同時に、その走査精度を著しく向上させ、さらには構成部品を大巾に削減することができる。」
　
（２）上記（１）のアないしエの点に関して、次のことがいえる。
　ア　嵌合して１つの構成体を構成する２つの部品のどちらに嵌合片を設けるか、また嵌合片を部品のどこに設けるかは、当業者が適宜決定すべき設計上の事項というべきところ、上記（１）オの記載からみて、記録ヘッド構成体と結合枠とを嵌合するための嵌合片を、嵌合する記録ヘッド構成体及び結合枠のうち、上記（１）アのように、記録ヘッド構成体に設けること、及び、記録ヘッド構成体に設ける箇所を、第１の案内部材よりも第２の案内部材に近い側の端部にしたことに、設計上の事項を超える技術的意義は認められない。
　イ　上記（１）オで示した「サブガイド２４の面と摺接して記録ヘッド構成体１を水平に保持する摺接突起８」の記載及び「記録ヘッド装置は、前端をメインガイド２１に、後端をサブガイド２４に案内されて主走査方向への走行が可能となる」の記載からみて、本願発明の「第２の被案内部」は、記録ヘッド装置の後端が第２の案内部材（サブガイド２４）に案内されて記録ヘッド装置の主走査方向への走行が可能となるように、第２の被案内部（摺接突起８）が第２の案内部材（サブガイド２４）の面と摺接して記録ヘッド構成体を水平に保持するために、記録ヘッド構成体に備えられたものと認められるところ、引用発明の「第２の被案内部（第２案内摺動面）」も同様に、記録ヘッドに設けられ、記録ヘッドの主走査に際し、第２ガイドレールに直接的に当接した状態に維持されて、組み付けられた該記録ヘッドを水平に保持するものであるから、本願発明の「第２の被案内部」と引用発明の「第２の被案内部」とは同じ技術上の意義を有するものであり、この「第２の被案内部」を記録ヘッド構成体のどこに設けるかは、第２の案内部材の面と摺接して記録ヘッド構成体を水平に保持することができる範囲において、当業者が適宜決定し得る設計事項である。上記のとおり、本願発明において、第２の被案内部を嵌合片の下面に設けた点（上記（１）イ）に、設計上の事項であることを超える技術上の意義は認められないから、この点は、当業者が適宜なし得た設計上の事項である。
　ウ（ア）引用発明において、結合枠（キャリッジ）および記録ヘッド構成体（記録ヘッド）は、前記嵌合片（取付用爪）により該記録ヘッド構成体を該結合枠上に装着保持するとともに、該記録ヘッド構成体の第１の被案内部（第１案内摺動面）と該結合枠に取り付けられた第１の被案内部との間で第１の案内部材（第１ガイドレール）を上下から抱くように挟み込み、該記録ヘッド構成体の第２の被案内部（第２案内摺動面）と該結合枠に取り付けられた第２摺動部材との間で第２の案内部材（第２ガイドレール）を上下から挟み込んで組み付けられているから、結合枠と記録ヘッド構成体とは上下方向に押込まれて装着されるものであるが、上記（１）オに示した「ガイドロッド等をプリンタ本体から取外す手間を要することなく、しかもキャリッジ等を必要とすることなく、記録ヘッド自体をガイドロッドを構成する第１、第２の案内部材上に組付けることを可能として、この種の記録ヘッドの組付けを大巾に簡素化することができると同時に、その走査精度を著しく向上させ、さらには構成部品を大巾に削減することができる。」といった作用効果を奏する点では本願発明と共通しているものである。しかるところ、上記「第３　２」の記載からみて、引用例２には、「キャリアフレーム１１の後側に設けた凹部１１ａを印字機構に固定された第２ガイドシャフト１５に嵌合させ、キャリアフレーム１１の前側に設けた差し込み部１２を第１ガイドシャフト１４に差し込んだ後に、スライドピース１６を、差し込み部１２内の第１ガイドシャフト１４の下面をキャリアフレーム１１の後側から前側方向に水平に摺動するように差し込むことにより、第１ガイドシャフト１４を下から抱持する」機構が記載されており、この機構により、上記作用効果と同様な「ガイドシャフトを印字装置等の本体に取り付けた後でキャリアユニットを組み込むことが可能であるので、容易な組立てができ、しかも容易なキャリアユニットの取り外し，交換ができる」という効果を奏することが記載されている。してみれば、結合枠と記録ヘッド構成体とが上下方向に押込まれて装着される引用発明において、結合枠と記録ヘッド構成体とが水平方向に押込まれて装着されるようにすることは、引用例２に記載の事項に基づいて当業者が容易に想到することができたものである。
（イ）他方、上記（１）オで示した「底面を嵌合片７に沿わせるせるように、かつ両側の腕片１１を記録ヘッド構成体１の両側に沿わせるようにして結合枠１０を記録ヘッドに構成体１の後方から水平に押込んでゆく。これにより、押込みの後端において腕片１１の先端は、メインガイド２１下半のコ字状凹部２２の中に入り込み」の記載及び本願の図面の図２の記載からみて、本願明細書の発明の詳細な説明に記載されている実施例において、メインガイド２１はその下半はコ字状凹部２２となっており、引用発明のように結合枠と記録ヘッド構成体とを上下方向に押込んで装着しようとするとコ字状凹部２２が障害になるような形状のものである。このことから、本願明細書の発明の詳細な説明に記載されている実施例においては、結合枠１０を記録ヘッドに構成体１の後方から水平に押込んでいるものと認められる。
（ウ）しかし、本願発明の第１の案内部材は、下半がコ字状凹部となっているとの特定がされているものではないから、上記（１）オの記載からみて、結合枠を記録ヘッド構成体に押込んで装着する際、「結合枠を嵌合片に沿わせるようにして、記録ヘッド構成体における第２の被案内部側から第１の被案内部側に向けて水平に」押し込む点、及び、腕片が第１の案内部材を下から抱持する際、「第１の被案内部の下面を摺動することにより」抱持する点に設計事項を超える技術上の意義が認められない。
（エ）以上のことから、上記（１）のウ及びエの点は、当業者が引用例２に記載の事項に基づいて適宜なし得た設計上の事項である。
（３）したがって、引用発明において、上記相違点２及び３に係る本願発明の構成となすことは、当業者が引用例２に記載の事項に基づいて適宜なし得た設計上の事項である。
　
３　効果について
　本願発明の奏する効果は、引用発明の奏する効果、引用例２に記載の事項の奏する効果及び上記周知技術の奏する効果から当業者が予測することができた程度のものである。
　
４　まとめ
　したがって、本願発明は、引用例１に記載された発明、引用例２に記載の事項及び周知技術に基づいて当業者が容易に発明をすることができたものである。
　
第６　むすび
　以上のとおり、本願発明は、引用例１に記載された発明、引用例２に記載の事項及び周知技術に基づいて当業者が容易に発明をすることができたものであるから、特許法第２９条第２項の規定により特許を受けることができないものである。
　よって、結論のとおり審決する。